(57)【要約】【課題】  押しボタンや音声装置を含めた組立や、レイアウト変更が容易で、フレキシブルなシステムとしてのアナンシェーターを提供することを目的とする。【解決手段】  窓枠内に複数個の開口部の窓を集合させ、各窓の裏面に端子を設け、端子間を渡り配線したアナンシェーターにおいて、窓枠の内の各窓に、取付け方法が表示灯ユニットと互換性がある押しボタンや音声ブザー装置を着脱自在に配置できるようにしたアナンシェーターとした。【選択図】  図３
2008102689.tif 000002
【特許請求の範囲】
【請求項１】
窓枠内に複数個の開口部の窓を集合させ、各窓の裏面に端子を設け、端子間を渡り配線したアナンシェーターにおいて、窓枠の内の各窓に、取付け方法が表示灯ユニットと互換性がある押しボタンや音声ブザー装置を着脱自在に配置できるようにしたアナンシェーター。
【請求項２】
各表示灯ユニットにシーケンスプログラムを内蔵させると共に押しボタンの状況に応じてシーケンスプログラムを実行させるようにした請求項１記載のアナンシェーター。
【発明の詳細な説明】
【技術分野】
【０００１】
本発明は、アナンシェーター（故障警報表示器）に関するものである。
【背景技術】
【０００２】
プロセスにおける故障を音声装置と集合形表示灯により警報し、押し釦操作との関係で様々なシーケンスで警報を生じさせる故障警報表示器は、集合表示灯部、押し釦操作部、シーケンス部に分かれている。
【０００３】
また、表示灯は故障信号に応じた場所が固定的に割り付けられ故障信号を各表示灯に直接的に入力している。
【特許文献１】特願２００５−１６１０１７号
【発明の開示】
【発明が解決しようとする課題】
【０００４】
アナンシェーターを実際に運用するに当たっては、設計時に決められた故障点数では不足したり、表示灯のレイアウトを変更したい場合がしばしば発生する。
【０００５】
その場合、従来技術のアナンシェーターでは裏側の配線をやり直したり、ましてや増設する場合には多大の工数を発生させる。
【０００６】
本発明が解決しようとする課題は、押しボタンや音声装置を含めた組立や、レイアウト変更が容易で、フレキシブルなシステムとしてのアナンシェーターを提供することである。
【課題を解決するための手段】
【０００７】
上記の事情に鑑み、押しボタンや音声装置を含めた組立や、レイアウト変更が容易で、フレキシブルなシステムを提供すべく、窓枠内に複数個の開口部の窓を集合させ、各窓の裏面に端子を設け、端子間を渡り配線したアナンシェーターにおいて、窓枠の内の各窓に、取付け方法が表示灯ユニットと互換性がある押しボタンや音声ブザー装置を着脱自在に配置できるようにしたアナンシェーターとした。
【０００８】
また、本発明は、独立のシーケンス部をなくするために、各表示灯ユニットにシーケンスプログラムを内蔵させると共に押しボタンの状況に応じてシーケンスプログラムを実行させるようにした。
【発明の効果】
【０００９】
本発明は、窓枠内に複数個の開口部の窓を集合させ、各窓の裏面に端子を設け、端子間を渡り配線したアナンシェーターにおいて、窓枠の内の各窓に、取付け方法が表示灯ユニットと互換性がある押しボタンや音声ブザー装置を着脱自在に配置できるようにしたアナンシェーターであるので、押しボタンや音声装置を含めた組立や、レイアウト変更が容易で、フレキシブルなシステムの提供ができる。
【００１０】
また、本発明は、各表示灯ユニットにシーケンスプログラムを内蔵させると共に押しボタンの状況に応じてシーケンスプログラムを実行させるようにしたので、独立のシーケンス部をなくすることができる。
【発明を実施するための最良の形態】
【００１１】
本発明の実施形態を図面を参照しながら説明する。
【００１２】
図１は、従来形のアナンシェーターを示している。表示灯は、接続の説明のために裏側にネジ表示がされている。従来形アナンシェーターは、表示灯ユニット１を集合させた表示灯部２と、押し釦操作部３と、外部故障信号及び押し釦操作部３の押しボタンの状況に応じた表示や音声信号を発生させるシーケンス部４よりなる。
【００１３】
押し釦操作部３には、ブザー停止釦５、故障確認釦６、手動リセット釦７、ランプテスト釦８などが配置され、音声ブザー装置９なども内蔵されている。これら押し釦類、音声ブザー装置及び外部故障信号、音声信号、シーケンス処理された音声信号、各表示灯への表示信号１１などは、従来の方法で多数の配線が接続されている。
【００１４】
例えば、アナンシェーターの動作の一例を示すと、各プロセスの各監視場所から来る各故障信号１０は、シーケンス部４に入力され、決められたシーケンスに応じて、表示灯がフリッカー点灯を開始すると同時に音声ブザー装置９が警報を発する。
【００１５】
次に音声を停止するためには、ブザー停止釦５を押す。故障確認釦６を押すと、シーケンスに応じて故障が復帰していれば表示灯を消灯するし、故障が継続していれば表示灯はフリッカーから点灯となり、故障が復帰すれば表示灯は消灯する。
【００１６】
これに対して表示灯の特願２００５−１６１０１７号「表示灯」で示した省配線技術を適用した表示灯ユニットを用いると、構成は図２に示した通りとなる。
【００１７】
図２において、表示灯ユニット１は表示灯部２の各窓に挿入されており、表示灯ユニット１は表示灯部２に対して前面から挿入して取付け、表示灯ユニット１への給電と信号供給は各表示灯ユニット１への２つの端子を渡り配線して構成される。これは伝送技術を用いた省配線技術をつかさどる伝送線１３により押しボタン５〜８、音声ブザー装置９、故障信号を受ける入力装置１４などにも表示灯と同様に装置番号を持たせて２〜４本の伝送線１３の渡り配線で接続でき、アナンシェーターとして構成できることを示している。
【００１８】
このように、特願２００５−１６１０１７号の集合形表示灯をアナンシェーターの表示部として使用する場合にも、別に押し釦操作部３を設けて従来例と同じく押しボタンと音声ブザー装置を設置することになる。
【００１９】
これに対して、本発明のアナンシェーターでは音声ブザー装置９を含んだ押し釦操作部３を設けることなく、表示灯部２の表示灯用窓枠に全てのデバイスを表示灯と同じ構造で取付けられるようにする。
【００２０】
次に、その詳細を図３により説明する。
【００２１】
図２においては、図１に図示したシーケンス部４は既に削除されており、これは各表示灯にシーケンスを内蔵した本発明の請求項２の要件を図示したものであり、詳細は後述する。
【００２２】
図３において、表示灯ユニット１及び表示灯部２は図１、２と異なり、表示面側から示してあり、裏側の接続部分は図２と同じく渡り配線されている。
【００２３】
表示灯ユニット１は、図１と同じく各窓枠に対して前面から着脱自在になっており、同じ着脱方法で押しボタン５〜８及び音声ブザー装置９が同じ表示灯部２に装着されている。表示灯部２には図１、２と同じく渡り配線されている。
【００２４】
このように、図２の押しボタン５〜８及び音声ブザー装置９を表示灯部２に着脱方式で接続したので設置が容易であるばかりか、操作部３を省略できて統一の取れた外観を呈する。
【００２５】
これら表示灯や押しボタン、音声ブザー装置は固有の装置番号を有するので、何処へ配置しても故障信号に応じた動作が可能であり、窓の場所に制約されないフレキシブルな装置が可能である。
【００２６】
すなわち、実際のアナンシェーター表示においてはどの故障信号・表示をどこに配置するかということが設計段階で決まるが、しばしば追加や変更が行われる。それは表示灯部２内に押しボタンを置くか、別置にするかどうかも含めて行われるため、図１のような従来形の押しボタンユニットを使用する場合にはバスラインの変更を伴い、表示灯１の配置にしても個々に入力される故障信号線のつなぎ変えを伴い変更や追加、撤去に煩雑な作業を伴う。
【００２７】
本発明は、多数の窓を有し、各窓は裏側の端子を２本の渡りで配線をした窓枠を準備し、デバイス番号をもった表示器ユニットや押しボタンユニット、音声ユニットを用意したアナンシェーターであるので、どこに挿入してもそのデバイス番号に応じた動作をするため、その配置は極めて融通性があり、追加、変更、配置替え、撤去がワンタッチで正面から行うことができる。
【００２８】
押しボタンや音声ブザー装置を窓枠内に取付けたくない場合には、スイッチとＤＩを組み合わせた装置を現場側の任意の点に２本線で配線すればよく、その融通性は従来形アナンシェーターでは得られないものである。
【００２９】
また、故障と押しボタンの操作に従った表示や音声のシーケンスは各表示灯に内蔵されたＣＰＵにプログラムされており、通信のための親機から受ける信号を授受するプログラムと共に内蔵しているため、図１に示したシーケンス部は不要となっている。
【００３０】
本発明は、アナンシェーターに対して省配線技術を適用し、かつ省配線を司る通信プログラムと共にシーケンスプログラムを表示灯に内蔵させたので、別置きのシーケンス装置が不要となる。また、表示灯の窓枠に押しボタンや音声ブザー装置を着脱自在として集合させたので、別置きの操作部が不要となる。さらに操作が極めて簡単で、フレキシブルな配置が可能であり、かつ外観に統一感のあるアナンシェーターを提供できる。
【産業上の利用可能性】
【００３１】
本発明は、複数個の開口部の窓を集合させたアナンシェーターについて述べたが、他の電子機器にも利用が可能である。
【図面の簡単な説明】
【００３２】
【図１】従来形のアナンシェーターの図である。
【図２】本発明のアナンシェーターの図である。
【図３】本発明のアナンシェーターの図である。
【符号の説明】
【００３３】
１…表示灯ユニット
２…表示灯部
３…押し釦操作部
４…シーケンス部
５…故障確認釦
６…手動リセット釦
７…ブザー停止釦
８…ランプテスト釦
９…音声ブザー装置
１０…故障信号
１１…表示信号
１２…伝送ブリッジ
１３…伝送線
１４…入力装置
【図１】
2008102689.tif 000003
【図２】
2008102689.tif 000004
【図３】
2008102689.tif 000005